(57)【要約】      （修正有）【課題】通常傘の傘立てに取り付ける（取り外す）ことができ、コンパクトに折り畳むことが可能な短尺傘の傘立てを提供する。【解決手段】本発明の傘立て１は、傘を立てた際に該傘の軸に略平行に対向する基板２と、基板２の高さ方向の上部に設けられ、該基板２の幅方向全域に亘って複数本の傘を起立状にガイドする枠体とされると共に該基板２の幅方向の両端部と枠体の両端部とで可動部３Ａが形成されたガイド部３と、基板２の高さ方向の下部に設けられ、ガイド部３で収納された傘の下端を受ける板体とされると共に該基板２の幅方向の両端部と板体の両端部とで回動部４Ｂが形成された受け部４と、基板２に設けられた取付部５とを有した構成とされている。【選択図】図１
2020065661.tif 000002
【特許請求の範囲】
【請求項１】
短尺の傘を立てた際に該傘の軸に略平行に対向する基板と、前記基板の高さ方向の上部に設けられ、該基板の幅方向全域に亘って複数本の傘を起立状にガイドする枠体とされると共に該基板の幅方向の両端部と枠体の両端部とで可動部が形成されたガイド部と、前記基板の高さ方向の下部に設けられ、前記ガイド部で収納された傘の下端を受ける板体とされると共に該基板の幅方向の両端部と板体の両端部とで回動部が形成された受け部と、前記基板に設けられた取付部と、を有し、前記ガイド部と前記受け部とが、前記基板に対して、略平行状に折り畳まれ、また、略直交上に展開されることを特徴とする傘立て。
【請求項２】
回動部は、基板の幅方向の両端部には、該幅方向中央から端部方向に向けた凸状の回動軸が形成され、受け部の幅方向の両端部には、前記回動軸を挿入する軸受部を有した回転板が該回動軸の幅方向両端の外側に位置するように形成された構成であることを特徴とする請求項１記載の傘立て。
【請求項３】
可動部は、基板の幅方向の両端部には、高さ方向上方を臨む開口を有した支持部が形成され、ガイド部の幅方向両端部には、展開した状態で折曲部を介して前記基板に対して平行状となって前記支持部に挿入される直線部が形成された構成であることを特徴とする請求項１又は２記載の傘立て。
【請求項４】
可動部は、基板の幅方向の両側面部には、幅方向外側を臨む蛇行状の案内溝が形成され、ガイド部の幅方向両端部には、該案内溝に案内される幅方向外側に向いた突片が形成された構成であることを特徴とする請求項１〜３のいずれかに記載の傘立て。
【請求項５】
受け部の基板側の端部における幅方向両端に亘って補強リブが形成されていることを特徴とする請求項１〜４のいずれかに記載の傘立て。
【請求項６】
受け部の一部に外部に連通する排水路が形成され、該受け部の折り畳まれた際の基板に対する面が前記排水路に向けて下向きに傾斜していることを特徴とする請求項１〜５のいずれかに記載の傘立て。
【請求項７】
受け部は、展開時に、基板側の端部が幅方向全域に亘り、該基板の下端部と当接する構成としたことを特徴とする請求項１〜６のいずれかに記載の傘立て。
【発明の詳細な説明】
【技術分野】
【０００１】
本発明は、例えば折畳傘（本願においては以下、短尺傘という）を適切に立てることができ、かつ未使用時に折り畳んでコンパクトにすることができ、さらには例えば通常の長さの傘（本願においては以下、通常傘という）の傘立て等に取り付けることのできる傘立てに関する。
【背景技術】
【０００２】
（１）短尺傘を立てる傘立て、（２）コンパクトに折り畳むことができる、のいずれか又は両方の構成を備えたものとして、特許文献１〜５が存在する。
【０００３】
特許文献１（実開平２−７６９６３号公報）は、折り畳むことのできる傘立て（２）に関して、左右に支柱を対設し、この支柱の上端部間に数本の傘を区割りして収納保持する傘保持部材を支柱の側方に起伏自在並びに水平状態に支持するように設け、この支柱の下端部間に脚部材を傘保持部材と同方向に起伏自在並びに水平状態に支持するように設け、この足部材上に傘受皿を設けた構成とされている。
【０００４】
特許文献２（実開平６−３８７５９号公報）は、短尺傘の傘立て（１）に関して、外枠及び本体受け皿からなる傘収納部に、補助枠及び補助受け皿からなる補助収納部を設け、収納部を二段とした構成とされている。
【０００５】
特許文献３（実用新案登録第３２００００８号公報）は、短尺傘の傘立て（１）に関して、縦フレームと三層フレームを有し、三層フレームを形成する各層フレームは、それぞれ、縦フレームの上中下端の位置に固定され、層フレームは複数の挿入孔を設置し、二個の水滴トレイは、それぞれ、可動で、中端位置の層フレーム、および、下端一の層フレーム上に設置され、水滴トレイの一つは、中端位置の層フレームの局部面積に設置され、もう一つの水滴トレイは、下端位置の層フレームの底面に設置される構成とされている。
【０００６】
特許文献４（特開２０１７−６４２８９号公報）は、短尺傘の傘立て（１）に関して、底板とこれに立設された他の板体とにより閉じられて底板に対向する位置が解放されて解放部が形成され、底板は、傘置き部を有し、傘置き部は、底板から解放部に向けて隆起した隆起部からなり、隆起部は、底板に対して起立した起立部と、隆起部の頂上に平面状に形成された頭頂部とを有する構成とされている。
【０００７】
特許文献５（特開２０１７−８６３４２号公報）は、短尺傘の傘立て（１）に関して、上下方向に貫通された複数の開口部を有する第１区画部材を有する第１傘支持部と、第１傘支持部を床面から上方に離間させて支持する支持部と、第１傘支持部に対して着脱可能とされた第２傘支持部とを備える構成とされている。
【０００８】
例えば短尺傘の傘立て（１）に関する特許文献２〜５は、未使用時にコンパクトにすることができず、一方、折り畳むことのできる傘立て（２）に関する特許文献１は、未使用時にコンパクトにすることができるものの、短尺傘を立てることができない。そこで、折り畳むことのできる傘立てに関する特許文献１の構成を短尺傘立てに関する特許文献２〜５に採用することが考えられるが、次の問題がある。
【０００９】
特許文献２，３は通常傘と短尺傘の両方を立てることのできる傘立ての構成であり、通常の長さの傘（以下、通常傘と記す）を立てる傘立てを折り畳む構成の特許文献１の構成を採用したとしても、通常傘を立てる構成部分だけしか参考にできず、短尺傘を立てる構成部分を折り畳む点の開示も示唆もない。よって、特許文献１の構成を通常傘と短尺傘の両方を立てることのできる傘立てに関する特許文献２〜３に採用することができない。
【００１０】
特許文献４，５は、通常傘の傘立ての構成に対して、短尺傘の傘立て構成を取り外しが可能であることから、短尺傘の傘立て構成を取り外した後の通常の傘立て構成に対して特許文献１の構成を採用することは可能であるものの、短尺傘の傘立て構成がコンパクトに折り畳めないので、折角、短尺傘の傘立て構成を通常傘の傘立て構成から取り外し、かつ通常傘の傘立て構成を折り畳んでコンパクトにできたとしても、取り外した短尺傘の傘立て構成がかさばってしまうといった問題がある。
【先行技術文献】
【特許文献】
【００１１】
【特許文献１】実開平２−７６９６３号公報
【特許文献２】実開平６−３８７５９号公報
【特許文献３】実用新案登録第３２００００８号公報
【特許文献４】特開２０１７−６４２８９号公報
【特許文献５】特開２０１７−８６３４２号公報
【発明の概要】
【発明が解決しようとする課題】
【００１２】
解決しようとする問題は、従来は、通常傘と短尺傘とを混在使用する傘立てでは折り畳む構成となっておらず、また、通常傘の傘立てに取り付ける（取り外す）ことができる短尺傘の傘立ては前記と同じく短尺傘の傘立て構成をコンパクトに折り畳む構成となっていなかった点である。
【課題を解決するための手段】
【００１３】
上記課題を解決するため、本発明は、短尺の傘を立てた際に該傘の軸に略平行に対向する基板と、前記基板の高さ方向の上部に設けられ、該基板の幅方向全域に亘って複数本の傘を起立状にガイドする枠体とされると共に該基板の幅方向の両端部と枠体の両端部とで可動部が形成されたガイド部と、前記基板の高さ方向の下部に設けられ、前記ガイド部で収納された傘の下端を受ける板体とされると共に該基板の幅方向の両端部と板体の両端部とで回動部が形成された受け部と、前記基板に設けられた取付部と、を有し、前記ガイド部と前記受け部とが、前記基板に対して、略平行状に折り畳まれ、また、略直交上に展開されることを主要な特徴とする。
【発明の効果】
【００１４】
上記構成によれば、本発明の傘立ては、まず、短尺傘を立てることができると共に取付と取外が可能であることから、通常傘の傘立てに対しては、取り付けて短尺傘を立てることができる混在構成にできると共に、取り外して少なくとも本発明の傘立をコンパクトにして収納することができる。
【図面の簡単な説明】
【００１５】
【図１】図１は、本発明の傘立ての概略構成を示し、（ａ）は展開時の斜視図、（ｂ）は折り畳みと展開の状況を説明するための斜視図、である。
【図２】図２は、本発明の傘立てにおけるガイド部のみを示す図である。
【図３】図３は、本発明の傘立てにおける可動部の、（ａ）は折り畳み時、（ｂ）は展開時、の状況を示す図である。
【図４】図４は、本発明の傘立てにおける可動部を基板の裏面側から示し、（ａ）は折り畳み時、（ｂ）は展開時、の状況を示す図である。
【図５】図５は、本発明の傘立てにおける回動部を示す図である。
【図６】図６は、本発明の傘立てにおける基板のみを示し、（ａ）は正面図、（ｂ）は回動軸周辺のみを示す図、である。
【図７】図７は、本発明の傘立てにおける受け部のみを示し（ａ）は斜視図、（ｂ）は軸受部周辺のみを示す図、である。
【発明を実施するための形態】
【００１６】
本発明は、例えば通常傘の傘立てに取付・取外が可能な構成とすると共に、未使用時にはコンパクトに折り畳むことのできる短尺傘の傘立てを、短尺の傘を立てた際に該傘の軸に略平行に対向する基板と、基板の高さ方向の上部に設けられ、該基板の幅方向全域に亘って複数本の傘を起立状にガイドする枠体とされると共に該基板の幅方向の両端部と枠体の両端部とで可動部が形成されたガイド部と、基板の高さ方向の下部に設けられ、ガイド部で収納された傘の下端を受ける板体とされると共に該基板の幅方向の両端部と板体の両端部とで回動部が形成された受け部と、基板に設けられた取付部と、を有した構成とすることで実現した。
【００１７】
上記構成により、本発明の傘立ては、取付部により通常傘の傘立てのみならず、他の例えば手すりや棚などに使用時に取り付けておくことができると共に、基板に対して、略直交上に展開されることで短尺傘を立てておくことができ、また、未使用時には取り外して、ガイド部と受け部とを、基板に対して、略平行状に折り畳んでコンパクトにして収納しておくことができる。
【００１８】
さらに、上記構成の本発明の傘立てにおいて、回動部は、基板の幅方向の両端部には、該幅方向中央から端部方向に向けた凸状の回動軸が形成され、受け部の幅方向の両端部には、回動軸を挿入する軸受部を有した回転板が該回動軸の幅方向両端の外側に位置するように形成された構成としてもよい。
【００１９】
こうすることで、短尺傘を多数立てたり、衝撃を受けたりして、受け部の中央が下方に撓んでも回動軸が回転板から外れにくくなり、安定して多数の短尺傘を立てておくことができ、耐衝撃性も向上する。
【００２０】
さらに、上記構成の本発明の傘立てにおいて、可動部は、基板の幅方向の両端部には、高さ方向上方を臨む開口を有した支持部が形成され、ガイド部の幅方向両端部には、展開した状態で折曲部を介して基板に対して平行状となって支持部に挿入される直線部が形成された構成としてもよい。
【００２１】
こうすることで、ガイド部の直線部は、使用時に基板に対して展開された状態では、開口を介して支持部において下方へ向けて挿入されて該支持部において安定する。よって、ガイド部はそのままで折り畳もうとすると支持部内の直線部により阻止されるから、使用時で展開状態にあるガイド部が不用意に折り畳まれてしまうといったことがない。
【００２２】
さらに、上記構成の本発明の傘立てにおいて、可動部は、基板の幅方向の両側面部には、幅方向外側を臨む蛇行状の案内溝が形成され、ガイド部の幅方向両端部には、該案内溝に案内される幅方向外側に向いた突片が形成された構成としてもよい。
【００２３】
こうすることで、ガイド部の突片は、蛇行状の案内溝の基板の高さ方向の下部に位置するときは、ガイド部自体が不用意に移動することがなく、一方、折り畳む際には蛇行状の案内溝の基板の高さ方向の上部に移動してから折り畳むようにしているので、この操作を行ったときだけガイド部を折り畳むことができ、安定して使用することができる。
【００２４】
さらに、上記構成において、本発明の傘立ては、受け部の基板側の端部における幅方向両端に亘って補強リブが形成されていてもよい。こうすることで、例えば雨を含んだ短尺の傘を複数本立てた際に、受け部が撓むことを防止できる。
【００２５】
また、上記構成において、本発明の傘立ては、受け部の一部に、外部に連通する排水路が形成され、該受け部の折り畳まれた際の基板に対する面が前記排水路に向けて下向きに傾斜していてもよい。こうすることで、受け部に雨水が溜まることを防止でき、適切なところに雨水を排水することができる。
【００２６】
さらに、上記構成において、本発明の傘立ての受け部は、展開時に、基板側の端部が幅方向全域に亘り、該基板の下端部と当接する構成としてもよい。こうすることで、受け部の展開時に基板に対してほぼ直交した状態を維持することができる。
【実施例】
【００２７】
以下、本発明の一実施例について図１〜図７を参照して説明する。本実施例における短尺傘を立てるための傘立て１は、次の構成とされている。傘立て１は、立てた状態の傘の軸に略平行に対向する基板２と、この基板２の高さ方向（＝縦方向：上下方向）上部に設けた傘を保持するガイド部３と、該基板２の下部に設けた受け部４と、基板２の幅方向（＝横方向：左右方向）の一部に設けた取付部５と、を主要構成とする。
【００２８】
基板２は、短尺の傘を立てることを想定しているので高さ方向は約１０〜３０ｃｍ程度とされ、幅方向に関しては本実施例では３０〜５０ｃｍとしている。この理由は、高さ方向に１０ｃｍより小さい高さだと、傘の下部だけを支持することになるので、安定して立てておくことができず、３０ｃｍより大きい高さだと、まずコンパクトにできないと共にコンパクト化が困難であると共に、短尺の傘の先端から取手までの高さを超えてしまい、起立状態で支持することができない可能性がある。
【００２９】
一方、基板２は、幅方向の寸法が、３０ｃｍより短いと多数の傘を立てておくことができないので不便あり、５０ｃｍより長いと多数の傘を立てた際に中央部が撓んでしまうなどといった構造上の強度面に不安がある。
【００３０】
基板２は、上記のとおり、ガイド部３、受け部４、取付部５を設けて全体をひとまとめにするためのものであると共に折り畳んでコンパクトにした際の「折り畳まれる側」となる。よって、ガイド部３と受け部４は折り畳んでコンパクトにした際の「折り畳む側」となり、基板２の一部と共に折り畳むための構成が設けられている。
【００３１】
また、基板２は、本実施例では、再上部位置から下部へ向かう略１／４（例えば全体高さが２０ｃｍとした場合の５ｃｍ分）が全体としての厚みとされ、残りの略３／４の下部（高さ方向の１５ｃｍ分）はその厚みに対して凹部２ａが形成され、この凹部２ａに上下方向に延びた区画リブ２ｂが幅方向に等間隔で例えば３本設けられている。さらに、基板２は、前記略１／４部分の下端部における幅方向中央の厚み部分が受け部４の上端部と係合して、折り畳んだ状態を維持する係合部２Ａとされている。
【００３２】
基板２の高さ方向の上部には、該基板２の幅方向全域に亘って複数本の傘を起立状にガイドする１本の金属棒からなる枠体とされたガイド部３が設けられている。このガイド部３は、該金属棒の両端を結んだ線に対して接近する方向と離間する方向に同一平面内で１本が幅方向に折り曲げられて、区画リブ２ｂとほぼ同様の間隔の区画部３ａが形成されている。
【００３３】
さらに、ガイド部３を構成する金属棒は、その両端が区画部３ａを形成した平面に対して直交状に折り曲げられた折曲部３ｂとこの折曲部３ｂからさらに先端に延びた直線部３ｃが各々形成されている。一方、基板２の幅方向の両端部の上面には、開口２ｃ及び前記直線部３ｃが挿入される支持部２ｄがそれぞれ形成されている。
【００３４】
また、本実施例では、ガイド部３を構成する金属棒における直線部３ｃのさらに先端が、幅方向の外側に曲げた突片３ｄが形成されると共に、基板２における幅方向の両側面部には、幅方向外側を臨む蛇行状の案内溝２ｅが形成され、突片３ｄが該案内溝２ｅに案内されて移動する構成とされている。
【００３５】
本発明の傘立て１は、本実施例において、基板２の開口２ｃ及び支持部２ｄとガイド部３の折曲部３ｂ及び直線部３ｃ、基板２の案内溝２ｅとガイド部３の突片３ｄ、によって基板２にガイド部３の開閉を可能とする可動部３Ａを構成している。
【００３６】
つまり、本発明の傘立て１は、可動部３Ａが次のように可動する。傘立て１の使用時、折曲部３ｂを中心として区画部３ａの形成された面を基板２に対して直交状とし、このとき、直線部３ｃは開口２ｃを介して支持部２ｄ内に挿入されると共に案内溝２ｅの上部位置から下部位置へ向けて突片３ｄが移動し、該突片３ｄが案内溝２ｅの下部位置にガイド部３の自重で留まることで安定支持状態となる。
【００３７】
また、傘立て１を折り曲げる時、突片３ｄを案内溝２ｅの下部から上部へ移動させ、このとき、直線部３ｃを支持部２ｄ内において上方に引きあげる。この状態で、突片３ｄと案内溝２ｅによるロックと支持部２ｄによる直線部３ｃの支持とが解除されることとなり、折曲部３ｂを中心として区画部３ａの形成された面を基板２に対して平行状となり、ガイド部３は基板２に対して折り畳まれる。
【００３８】
さらに、基板２の高さ方向の下部には、ガイド部３で収納された傘の下端を受ける板体とされた受け部４が設けられている。この受け部４は、本実施例では基板２の総高さのうち残りの略３／４の高さとされ、その上端面には、折り畳んだ際に、基板２の係合部２Ａと係合する係止部４Ａが形成されている。
【００３９】
受け部４は、折り畳んだ際に、基板２の下部厚みと重なり、該基板２の上部厚みと同等となると共に、全体として基板２の上部と面一となるように構成されている。また、受け部４は、折り畳んだ際に、基板２に臨む面においてその厚みに凹受部４ａが形成され、この凹受部４ａに上下方向に延びた区画リブ４ｂが幅方向に例えば３本設けられている。
【００４０】
この区画リブ４ｂは、折り畳んだ際の基板２の上下、展開時の基板２側と基板２と反対側に亘って延びているが、幅方向においては、（展開時の）基板２側に幅方向に形成された溝４ｃを跨いで（流路を妨げないように）形成されている。
【００４１】
受け部４は、上記の溝４ｃに向かって、すなわち基板２側−基板２と反対側の方向における基板２側に向かって、下り勾配の傾斜が設けられており、使用時（展開時）に受け部４で傘から伝わる雨水がこの溝４ｃに集合する構成とされている。
【００４２】
さらに、受け部４の一部、例えば本実施例では、基板２側の幅方向の一端部に、該受け部４を基板２に対して折り畳んだ状態で上下方向において外部に連通する排水路４ｄが形成され、溝４ｃと経路が合流している。このとき、溝４ｃには、排水路４ｄに向かって下り勾配の傾斜が設けられている。また、排水路４ｄの受け部４における裏面側（折り畳んだ際に基板２と対面しない側）の端部には排水が飛散しないよう水切部４ｄａが形成されている。
【００４３】
さらに、本実施例では、受け部４の基板２側の端部における幅方向両端に亘って補強リブ４ｅが形成されている。この補強リブ４ｅは、受け部４で多数の傘を受けた際に撓んだりしないように設けている。
【００４４】
また、受け部４は、展開時に、基板２側の端部が幅方向全域に亘り、該基板２の下端部と当接する当接部４ｆが形成されている。この当接部４ｆは、受け部４の基板２に対する展開時に、水平状態を安定維持するために設けられている。
【００４５】
さらに、本発明の傘立て１は、受け部４の両端部と、基板２の幅方向の両端部とで回動部４Ｂが構成されている。基板２の上下方向の下端における幅方向の両端部には、該幅方向中央から端部方向に向けた凸状の回動軸２ｆが形成されている。一方、受け部４の幅方向の両端部には、回動軸２ｆを挿入する軸受部４ｇを有した回転板４ｈが該回動軸２ｆの幅方向両端の外側に位置するように形成されている。
【００４６】
また、回転板４ｈは、受け部４の傘を受ける面側の外周部の一部に厚みの薄い部分を形成し、この薄い部分から中央の軸受部４ｇに向かってしだいに厚みを厚くした軸入部４ｉが形成されている。この軸入部４ｉを形成することで、受け部４を基板２に取り付ける際に回動軸２ｆを回転板４ｈにおける軸受部４ｇに誘導しやすくなり、一度取り付けると容易に抜けることがない。
【００４７】
回転板４ｈの受け部４における幅方向の内側（中央側）には、側壁４ｊが形成されている。この側壁４ｊは回転板４ｈの半径程度の高さとされており、基板２の回動軸２ｆが該側壁４ｊと回転板４ｈとの間で挟まれていることで、該回動軸２ｆの幅方向の移動が禁止され、軸受部４ｇから該回動軸２ｆが（軸入部４ｉ以外から）抜けないようにすることを目的として設けられている。
【００４８】
本発明の傘立て１は、回動部４Ｂを、基板２における回動軸２ｆ、受け部４における少なくとも軸受部４ｇ、回転板４ｈ、で構成、特に回動軸２ｆが基板２の幅方向中央から外側に突出し、回転板４ｈ及び軸受部４ｇが該回動軸２ｆのさらに外側に位置して回動軸２ｆを枢支する構成とすることで、受け部４に多数の傘を受けて該受け部４の中央部が撓んでしまっても回動軸２ｆが軸受部４ｇから外れてしまうことを防止できる。
【００４９】
取付部５は、本実施例では、例えば基板２の上下方向の上端面に幅方向の両端部位にベルト通部５ａが形成されており、このベルト通部５ａに例えば帯状の面テープ５ｂを通して、通常傘の傘立ての一部に取り付ける構成としている。
【００５０】
上記構成の傘立て１は、未使用時から使用状態にする際は、まず、受け部４を基板２から展開し、その後、ガイド部３を基板２から展開する。このとき、受け部４は回動部４Ｂを中心に回動して基板２に対して直交状態とする。また、ガイド部３は可動部３Ａを中心に可動させて基板２に対して直交状態とする。
【００５１】
傘立て１は、使用状態から未使用状態とする際は、上記の逆で、ガイド部３を基板２に対して折り畳み、その後、受け部４を基板に対して折り畳む。このとき、ガイド部３は可動部３Ａを中心に可動させて基板２に対して平行状態とする。また、受け部４は回動部４Ｂを中心に回動して基板２に対して平行状態とする。
【産業上の利用可能性】
【００５２】
本発明の傘立て１は、例えばコンビニエンスストア、病院、スーパー、百貨店、オフィス、といった既設の通常傘の傘立てに対して取り付けて使用することができる。また、既設の通常傘の傘立てが存在しない例えばコンビニエンスストア、病院、スーパー、百貨店、オフィスであっても、例えば手すりやドアノブといった水平部分を有した構造体に対しても取り付けて使用することもできる。
【符号の説明】
【００５３】
１  傘立て
２  基板
２ｃ  開口
２ｄ  支持部
２ｅ  案内溝
２ｆ  回動軸
３  ガイド部
３Ａ  可動部
３ｂ折曲部
３ｃ  直線部
３ｄ  突片
４  受け部
４Ｂ  回動部
４ｄ  排水路
４ｅ  補強リブ
４ｆ  当接部
４ｇ  軸受部
４ｈ  回転板
５  取付部
【図１】
2020065661.tif 000003
【図２】
2020065661.tif 000004
【図３】
2020065661.tif 000005
【図４】
2020065661.tif 000006
【図５】
2020065661.tif 000007
【図６】
2020065661.tif 000008
【図７】
2020065661.tif 000009